(57)【要約】【課題】掛けられた衣服が引っ掛かたり、伸びたり傷んだりすることが無く、かつ一旦掛けられたスカート肩紐やスカート吊り紐が抜け落ちにくい衣料用ハンガーを提供する。【解決手段】フック部２と、フック部２の下端から両側に傾斜して伸びる肩支持部３と、肩支持部３両端同士をつなぐズボン掛け横杆４と、ズボン掛け横杆４の両端部の下部に基端部が連設されてズボン掛け横杆４との間でズボンを挟むズボン押さえ片５とを有する衣料用ハンガーにおいて、ズボン押さえ片５の基端部に、ズボン押さえ片５の位置よりも一段下げたスカート肩紐・吊り紐掛け部６を形成し、さらにスカート肩紐・吊り紐掛け部６内において、ズボン押さえ片５の基端側延長上に紐抜け防止部７を突出させた衣料用ハンガー。【選択図】図１
0003165963.tif 000002
【実用新案登録請求の範囲】
【請求項１】
フック部と、前記フック部の下端から両側に傾斜して伸びる肩支持部と、前記肩支持部両端同士をつなぐズボン掛け横杆と、前記ズボン掛け横杆の両端部の下部に基端部が連設されて前記ズボン掛け横杆との間でズボンを挟むズボン押さえ片とを有する衣料用ハンガーにおいて、
前記ズボン押さえ片の基端部に、同ズボン押さえ片の位置よりも一段下げたスカート肩紐・吊り紐掛け部を形成し、さらに前記スカート肩紐・吊り紐掛け部内において、前記ズボン押さえ片の基端側延長上に紐抜け防止部を突出させたことを特徴とする衣料用ハンガー。
【請求項２】
前記紐抜け防止部の先端に、下方側に膨らむ円弧状突部を設けたことを特徴とする請求項１記載の衣料用ハンガー。
【考案の詳細な説明】
【技術分野】
【０００１】
本考案は、上着やズボンを掛けるだけでなく、スカート吊り紐やスカート肩紐を掛けることのできる機能を備えた衣料用ハンガーに関する。
【背景技術】
【０００２】
クリーニング店で取り扱う衣料には、上着やズボン、スカート等、各種の衣料があるが、クリーニング仕上げされたそれぞれの衣料毎に専用のハンガーを使い分けすることは、生産性が劣り、各種ハンガーの在庫管理が面倒であるので、クリーニング用衣料用ハンガー（以下、「クリーニング用ハンガー」と称することがある。）として、多くの種類の衣料に対応できるような工夫がされている。
【０００３】
図５および図６は従来のクリーニング用ハンガーの例を示すものであり、図５は斜視図、図６は正面図である。
【０００４】
これらの図において、従来のクリーニング用ハンガー２０は、フック部２１と、肩支持部２２と、ズボン掛け横杆２３とを有し、ズボン掛け横杆２３の両端部下部には、クリップ状のズボン押さえ２４が設けられている。前記の肩支持部２２の端部近傍の上部に、凹部２５ａと抜け止め片２５ｂからなるスカート肩紐掛け部２５が設けられている。また、ズボン押さえ２４の基端部近傍下部には、スカート吊り紐掛け鉤部２６が設けられ、両端部には型形状保持部２７が設けられている。
【０００５】
この従来のクリーニング用ハンガー２０では、上着やズボンを肩支持部２２、ズボン掛け横杆２３に掛けるほか、スカート肩紐Ａをスカート肩紐掛け部２５に掛けたり、スカート吊り紐Ｂをスカート吊り紐掛け鉤部２６に引っ掛けて使用する方法が可能である。
【０００６】
しかし、この従来のクリーニング用ハンガー２０では、肩支持部２２の端部近傍の上部に設けられたスカート肩紐掛け部２５が設けられているため、このクリーニング用ハンガー２０の肩支持部２２に、セーターやカーデガン等のニット物や薄い生地のシャツ、ブラウスを掛けたり、外すときにスカート肩紐掛け部２５の抜け止め片２５ｂに繊維が引っ掛かり、衣料が伸びたり、生地が傷んだりするという問題が生じる。
【０００７】
この従来のクリーニング用ハンガー２０の構成に似たものとして、特許文献１に記載された衣料用ハンガーがある。
【０００８】
この点、特許文献２に開示された衣服用ハンガーは、肩支持部の下側にスカート肩紐掛け部が設けられているので、肩支持部に掛けられた衣料に引っ掛かることは少ない。
【先行技術文献】
【特許文献】
【０００９】
【特許文献１】意匠登録第１１８０６４２号公報
【特許文献２】特開平７−２４１２２９号公報
【考案の概要】
【考案が解決しようとする課題】
【００１０】
しかしながら、特許文献２に開示された衣服用ハンガーでは、ハンガーが傾くと、スカート肩紐掛け部に掛けられた肩紐が抜け落ちるという問題がある。
【００１１】
そこで本考案は、掛けられた衣服が引っ掛かり、伸びたり、傷んだりすることが無く、かつ一旦掛けられたスカート肩紐やスカート吊り紐が抜け落ちない衣料用ハンガーを提供することを目的とする。
【課題を解決するための手段】
【００１２】
前記課題を解決するため、本考案の衣料用ハンガーは、フック部と、前記フック部の下端から両側に傾斜して伸びる肩支持部と、前記肩支持部両端同士をつなぐズボン掛け横杆と、前記ズボン掛け横杆の両端部の下部に基端部が連設されて前記ズボン掛け横杆との間でズボンを挟むズボン押さえ片とを有する衣料用ハンガーにおいて、
前記ズボン押さえ片の基端部に、同ズボン押さえ片の位置よりも一段下げたスカート肩紐・吊り紐掛け部を形成し、さらに前記スカート肩紐・吊り紐掛け部内において、前記ズボン押さえ片の基端側延長上に紐抜け防止部を突出させたことを特徴とする。
【００１３】
本考案では、スカート吊り紐をズボン押さえに通してスカート肩紐・吊り紐掛け部に掛けることで、上着が引掛かる問題を解消できる。また、スカート肩紐は、肩支持部に掛け、その下部をズボン押さえの内側に通してスカート肩紐・吊り紐掛け部に納めることで、従来のクリーニング用ハンガーのスカート肩紐掛け部に上着が引っ掛かることを解決でき、スカート肩紐・吊り紐掛け部という１つの形態で複数の紐を掛けることが可能になる。スカート肩紐・吊り紐掛け部内に納めた肩紐、吊り紐は、紐抜け防止部が設けられているため、ハンガーを斜めにしても簡単に抜け落ちることはない。
【００１４】
なお、前記紐抜け防止部の先端に、下方側に膨らむ円弧状突部を設けることにより、スカート肩紐や吊り紐がスカート肩紐・吊り紐掛け部から更に抜け出しにくくなる。
【考案の効果】
【００１５】
本考案によれば、ズボン押さえ片の基端部に、同ズボン押さえ片の位置よりも一段下げたスカート肩紐・吊り紐掛け部を形成し、さらにスカート肩紐・吊り紐掛け部内において、ズボン押さえ片の基端側延長上に紐抜け防止部を突出させたことにより、肩支持部やズボン押さえ片の外部には突起物が存在しないため、掛けられた衣料が引っ掛かり、伸びたり、傷んだりすることが無く、かつ一旦掛けられたスカート肩紐やスカート吊り紐が抜け落ちにくい衣料用ハンガーを提供することができる。
【図面の簡単な説明】
【００１６】
【図１】本考案の実施の形態に係る衣料用ハンガーを示す斜視図である。
【図２】本考案の実施の形態に係る衣料用ハンガーを示す正面図である。
【図３】本考案の実施の形態に係る衣料用ハンガーの紐抜け防止部の拡大図である。
【図４】本考案の実施の形態に係る衣料用ハンガーの紐抜け防止部の他の例を示す拡大図である。
【図５】従来のクリーニング用ハンガーの例を示す斜視図である。
【図６】図５の従来のクリーニング用ハンガーの正面図である。
【考案を実施するための形態】
【００１７】
以下、本考案の実施の形態を、図１〜図４を参照しながら説明する。
＜第１実施の形態＞
図１〜図３は本考案の実施の形態に係る衣料用ハンガー１を示すものである。これらの図において、衣料用ハンガー１は、フック部２と、フック部２の下端から両側に傾斜して伸びる肩支持部３と、肩支持部３両端同士をつなぐズボン掛け横杆４と、ズボン掛け横杆４の両端部の下部に基端部が連設されてズボン掛け横杆４との間でズボンを挟むクリップ状のズボン押さえ片５とを有している。さらに、ズボン押さえ片５の基端部に、ズボン押さえ片５の位置よりも一段下げたスカート肩紐・吊り紐掛け部６を形成し、さらにスカート肩紐・吊り紐掛け部６内において、ズボン押さえ片５の基端側延長上に紐抜け防止部７を突出させている。紐抜け防止部７の先端は、図３に拡大して示すように、下方側に膨らむ円弧状突部７ａとして、紐抜け防止部７の内側に入ったスカート肩紐・吊り紐が離脱しにくいようにしている。この衣料用ハンガー１は、ポリプロピレン等の可塑性樹脂で一体成形されている。なお、図において、８は襟形状保持部、９は肩形状保持部である。
【００１８】
この実施の形態では、紐抜け防止部７をスカート肩紐・吊り紐掛け部６の内部に設けており、スカート肩紐Ａを掛ける場合は、図２に示すようにスカート肩紐Ａの上部を肩支持部３の上に掛け、その下部をズボン押さえ片５の内側に通してスカート肩紐・吊り紐掛け部６に納めることで、従来のクリーニング用ハンガーの肩紐掛け部に上着が引っ掛かることを解決できる。また、スカート吊り紐Ｂを掛ける場合には、図２に示すようにスカート吊り紐Ｂの上部をズボン押さえ片５に通してスカート肩紐・吊り紐掛け部６に掛けることで、従来のクリーニング用ハンガーではスカート吊り紐掛け鉤部に上着が引掛かる問題を解消できる。
【００１９】
紐が一旦スカート肩紐・吊り紐掛け部６内に収まると、紐抜け防止部７がスカート肩紐・吊り紐掛け部６の内側上部に存在するため、不用意に紐が抜け出ることを防止できる。このように、スカート肩紐・吊り紐掛け部６と紐抜け防止部７という１つの形態で、スカート肩紐、スカート吊り紐といった複数の紐を掛けることが可能になる。
【００２０】
なお、以上の実施の形態では、紐抜け防止部７の突出長さを長くし、先端に下方突出部７ａを設けた例を示したが、紐抜け防止部７は、図４に示すように少しだけスカート肩紐・吊り紐掛け部６内に突出するのみでも、かつ下方突出部７ａを設けなくても、抜け止め作用は期待できる。
【産業上の利用可能性】
【００２１】
本考案は、掛けられた衣服が、引っ掛かり、伸びたり傷んだりすることが無く、かつ一旦掛けられたスカート肩紐やスカート吊り紐が抜け落ちにくい衣料用ハンガーとして、クリーニング用ハンガーのほか、家庭で用いる一般ハンガーとしても利用することができる。
【符号の説明】
【００２２】
１  衣料用ハンガー
２  フック部
３  肩支持部
４  ズボン掛け横杆
５  ズボン押さえ片
６  スカート肩紐・吊り紐掛け部
７  紐抜け防止部
７ａ  円弧状突部
８  襟形状保持部
９  肩形状保持部
【図１】
0003165963.tif 000003
【図２】
0003165963.tif 000004
【図３】
0003165963.tif 000005
【図４】
0003165963.tif 000006
【図５】
0003165963.tif 000007
【図６】
0003165963.tif 000008